(57)【要約】【課題】通信システムの管理を容易に行なう。【解決手段】受信された信号光のうちの、所定の波長の信号光を出力する光フィルタ１４と、光フィルタ１４により出力された信号光を光電変換する変換器１２３と、光電変換された信号を増幅するリニアアンプ１２４と、リニアアンプ１２４により増幅された信号に対して受信処理を行なう受信処理部１２１と、光電変換された信号を増幅するログアンプ１２５と、ログアンプ１２５により増幅された信号に基づいて光フィルタにより出力された信号光のパワーを検出するパワー検出器１２２と、受信処理により信号光が正常に受信されなかった場合、検出されたパワーに基づき、他の通信装置がレーザー光の波長を制御するように、所定の波長の信号光の生成に用いられるレーザー光の波長を制御する制御信号を設定して、他の通信装置に送信する送信部１７，１１０と、を備える。【選択図】図１
2016195358.tif 000002
【特許請求の範囲】
【請求項１】
他の通信装置によって出力された信号光を受信する通信装置であって、
前記受信された信号光のうちの、所定の波長の信号光を出力する光フィルタと、
前記光フィルタにより出力された信号光を受信する受信部と、
前記所定の波長の信号光の生成に用いられるレーザー光の波長を制御する制御信号を前記他の通信装置に送信する送信部と、
を備え、
前記受信部は、
前記光フィルタにより出力された信号光を光電変換する変換器と、
前記光電変換された信号を増幅するリニアアンプと、
前記リニアアンプにより増幅された信号に対して受信処理を行なう受信処理部と、
前記光電変換された信号を増幅するログアンプと、
前記ログアンプにより増幅された信号に基づいて前記光フィルタにより出力された信号光のパワーを検出するパワー検出器と、
を備え、
前記送信部は、前記受信処理により前記信号光が正常に受信されなかった場合、前記検出されたパワーに基づき、前記他の通信装置が前記レーザー光の波長を制御するように前記制御信号を設定する、通信装置。
【請求項２】
請求項１に記載の通信装置であって、
前記光フィルタは、前記受信された信号光のうちの、複数の波長の信号光をそれぞれ出力し、
当該通信装置は、前記複数の波長にそれぞれ対応する複数の前記受信部を備え、
前記送信部は、前記複数の波長に対してそれぞれ検出された複数のパワーのうち前記所定の波長以外の波長の信号光のパワーが最大である場合に、前記所定の波長と前記パワーが最大である信号光の波長との差に基づき、前記他の通信装置が前記レーザー光の波長を制御するように前記制御信号を設定する通信装置。
【請求項３】
請求項２に記載の通信装置であって、
前記送信部は、前記複数の波長に対してそれぞれ検出された複数のパワーのうち前記所定の波長の信号光のパワーが最大である場合に、前記所定の波長の信号光のパワーが増加するように、前記他の通信装置が前記レーザー光の波長を所定量変化させる設定にした前記制御信号を前記他の通信装置に繰り返し送信する通信装置。
【請求項４】
請求項１乃至請求項３のいずれか一項に記載の通信装置であって、
前記パワー検出器は、前記出力された信号光のパワーが第１の閾値以下である場合に、前記他の通信装置によって前記レーザー光が出力されていないと判断する通信装置。
【請求項５】
請求項１乃至請求項４のいずれか一項に記載の通信装置であって、
前記受信処理部は、前記受信処理の対象の信号の基となる信号光のパワーが第２の閾値以下である場合に、前記信号光が正常に受信されなかったと判断する通信装置。
【請求項６】
他の通信装置によって出力された信号光を受信する通信装置における波長調整方法であって、
前記受信された信号光のうちの、所定の波長の信号光を光フィルタにより出力し、
前記光フィルタにより出力された信号光を光電変換し、
前記光電変換された信号をリニアアンプにより増幅し、
前記リニアアンプにより増幅された信号に対して受信処理を行ない、
前記光電変換された信号をログアンプにより増幅し、
前記ログアンプにより増幅された信号に基づいて前記光フィルタにより出力された信号光のパワーを検出し、
前記受信処理により前記信号光が正常に受信されなかった場合、前記検出されたパワーに基づき、前記他の通信装置が前記レーザー光の波長を制御するように前記所定の波長の信号光の生成に用いられるレーザー光の波長を制御する制御信号を設定して前記他の通信装置に送信する、波長調整方法。
【請求項７】
請求項６に記載の波長調整方法であって、
前記受信された信号光のうちの、複数の波長の信号光を前記光フィルタによりそれぞれ出力し、
前記光フィルタにより出力された前記複数の波長の信号光のそれぞれを光電変換し、
前記光電変換された信号のそれぞれを複数の前記リニアアンプによりそれぞれ増幅し、
前記複数のリニアアンプによりそれぞれ増幅された信号に対してそれぞれ受信処理を行ない、
前記光電変換された信号のそれぞれを複数の前記ログアンプにより増幅し、
前記複数のログアンプによりそれぞれ増幅された信号に基づいて前記光フィルタにより出力された前記複数の波長の信号光のそれぞれのパワーを検出し、
前記複数の波長に対してそれぞれ検出された複数のパワーのうち前記所定の波長以外の波長の信号光のパワーが最大である場合に、前記所定の波長と前記パワーが最大である信号光の波長との差に基づき、前記他の通信装置が前記レーザー光の波長を制御するように前記制御信号を設定する波長調整方法。
【請求項８】
請求項７に記載の波長調整方法であって、
前記複数の波長に対してそれぞれ検出された複数のパワーのうち前記所定の波長の信号光のパワーが最大である場合に、前記所定の波長の信号光のパワーが増加するように、前記他の通信装置が前記レーザー光の波長を所定量変化させる設定にした前記制御信号を前記他の通信装置に繰り返し送信する波長調整方法。
【請求項９】
請求項６乃至請求項８のいずれか一項に記載の波長調整方法であって、
前記出力された信号光のパワーが第１の閾値以下である場合に、前記他の通信装置によって前記レーザー光が出力されていないと判断する波長調整方法。
【請求項１０】
請求項６乃至請求項９のいずれか一項に記載の波長調整方法であって、
前記受信処理の対象の信号の基となる信号光のパワーが第２の閾値以下である場合に、前記信号光が正常に受信されなかったと判断する波長調整方法。
【発明の詳細な説明】
【技術分野】
【０００１】
本発明は、通信装置及び波長調整方法に関する。
【背景技術】
【０００２】
近年のモバイルトラフィックの増加に伴い、携帯基地局と収容局とを接続するモバイルバックホールネットワーク等のアクセス領域のトラフィックも増大している。そのため、アクセス領域へのDense Wavelength Division Multiplex（ＤＷＤＭ）技術の適用が検討されている。
例えば、International Telecommunication Union Telecommunication Standardization Sector（ＩＴＵ−Ｔ）のG.metroにおいては、ユーザ側の装置であるTail-End Equipment（ＴＥＥ）で使われる送信用光源として波長可変光源を使用することが検討されている。これにより、ＴＥＥを共通化（少品種化）することができ、簡易で安価なＴＥＥを製造することができる。
【０００３】
各ＴＥＥの波長可変光源は、センタ側の装置であるHead-End Equipment（ＨＥＥ）によって、主信号に制御信号を重畳させ、ＨＥＥに接続されるOptical Multiplexer/Optical Demultiplexer（ＯＭ／ＯＤ）のポートに応じた波長に設定される。
このような波長設定の集中制御は、Wavelength Division Multiplex-Passive Optical Network（ＷＤＭ−ＰＯＮ）システムにおいても適用が検討されている。
【先行技術文献】
【特許文献】
【０００４】
【特許文献１】特開２００６−１９７４８９号公報
【特許文献２】特開２０００−７８０８５号公報
【発明の概要】
【発明が解決しようとする課題】
【０００５】
しかしながら、従来技術としての通信システムにおいては、ＨＥＥがＴＥＥからの信号光を受信することができない場合には、センタ側のＨＥＥは、信号光を受信できない原因を特定することができない。例えば、ＨＥＥは、ＴＥＥの波長可変光源の故障によって光が出力されないのか、波長設定に不備が発生したのかを特定することができないという課題がある。
【０００６】
１つの側面では、本発明は、通信システムの管理を容易に行なうことを目的とする。
【課題を解決するための手段】
【０００７】
このため、この通信装置は、他の通信装置によって出力された信号光を受信する通信装置であって、前記受信された信号光のうちの、所定の波長の信号光を出力する光フィルタと、前記光フィルタにより出力された信号光を受信する受信部と、前記所定の波長の信号光の生成に用いられるレーザー光の波長を制御する制御信号を前記他の通信装置に送信する送信部と、を備え、前記受信部は、前記光フィルタにより出力された信号光を光電変換する変換器と、前記光電変換された信号を増幅するリニアアンプと、前記リニアアンプにより増幅された信号に対して受信処理を行なう受信処理部と、前記光電変換された信号を増幅するログアンプと、前記ログアンプにより増幅された信号に基づいて前記光フィルタにより出力された信号光のパワーを検出するパワー検出器と、を備え、前記送信部は、前記受信処理により前記信号光が正常に受信されなかった場合、前記検出されたパワーに基づき、前記他の通信装置が前記レーザー光の波長を制御するように前記制御信号を設定する。
【発明の効果】
【０００８】
開示の通信装置によれば、通信システムの管理を容易に行なうことができる。
【図面の簡単な説明】
【０００９】
【図１】実施形態の一例としての通信システムの機能構成を模式的に示す図である。
【図２】実施形態の一例としての通信システムにおける波長ずれの例を説明する図である。
【図３】実施形態の一例としての通信システムにおける波長ずれの例を説明する図である。
【図４】実施形態の一例としての通信システムにおける波長監視処理を説明するフローチャートである。
【図５】実施形態の一例としての通信システムにおける波長調整処理を説明するフローチャートである。
【図６】実施形態の変形例としての通信システムにおける波長ずれの例を説明する図である。
【図７】実施形態の変形例としての通信システムにおける波長ずれの例を説明する図である。
【図８】実施形態の関連技術としての通信システムの機能構成を模式的に示す図である。
【発明を実施するための形態】
【００１０】
以下、図面を参照して通信装置及び波長調整方法に係る一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１１】
また、各図は、図中に示す構成要素のみを備えるという趣旨ではなく、他の機能等を含むことができる。
以下、図中において、同一の各符号は同様の部分を示しているので、その説明は省略する。
【００１２】
〔Ａ〕実施形態の関連技術
図８は、実施形態の関連技術としての通信システムの機能構成を模式的に示す図である。
図８に示す通信システム４００は、例えば光メトロアクセス向けのＤＷＤＭシステムであり、ＨＥＥ４，ｎ（ｎは自然数）個のＴＥＥ（ＴＥＥ＃１〜＃ｎ）５及びＯＭ／ＯＤ６を備える。通信システム４００は、ＴＥＥ５からＨＥＥ４へ向かう上り通信がＣバンドを利用し、ＨＥＥ４からＴＥＥ５へ向かう下り通信がＬバンドを利用する。１つのＨＥＥ４は、ＯＭ／ＯＤ６を介して通信可能に接続されるｎ個のＴＥＥ（ＴＥＥ＃１〜＃ｎ）５を収容する。
【００１３】
以下、複数のＴＥＥのうち１つを特定する必要があるときには「ＴＥＥ＃１」や「ＴＥＥ＃ｎ」等と表記するが、任意のＴＥＥを指すときには「ＴＥＥ５」と表記する。
ＨＥＥ４は、送信器アレイ（Ｔｘアレイ）４１，受信器アレイ（Ｒｘアレイ）４２，Arrayed Waveguide Grating（ＡＷＧ）４３，４４及びＣ／Ｌカプラ４５を備える。
Ｃ／Ｌカプラ４５は、Ｌバンドの下り信号光とＣバンドの上り信号光とを分離又は多重化する。
【００１４】
ＡＷＧ４４は、Ｃバンドの上りＤＷＤＭ信号をｎ個の波長の信号光に分割する。
Ｒｘアレイ４２は、ｎ個のＣバンドの波長グリッドλＣ１〜λＣｎにそれぞれ対応するｎ個の受信器４２０を備える。ここで、波長グリッドとは、ある波長についてマージンを持たせた帯域である。
ＡＷＧ４３は、Ｔｘアレイ４１から出力されたｎ個の信号光を多重化する。
【００１５】
Ｔｘアレイ４１は、ｎ個のＬバンドの波長グリッドλＬ１〜λＬｎにそれぞれ対応するｎ個の送信器（ＨＥＥ  Ｔｘ）４１０を備える。
ＨＥＥ  Ｔｘ４１０は、Laser Diode（ＬＤ）４１３を備える。
ＬＤ４１３は、入力されるデータ４１１又は波長制御信号４１２に基づき、変調された光をＡＷＧ４３に出力する。データ４１１は、ＨＥＥ４からＴＥＥ５へ送信されるユーザデータである。波長制御信号４１２は、後述するように、ＴＥＥ５のＴ−ＬＤ５１が出力する光信号の波長を制御する信号である。
【００１６】
ＯＭ／ＯＤ６は、光ファイバーを介してＨＥＥ４及びＴＥＥ５と通信可能に接続されており、サイクリックＡＷＧ６１を備える。ＯＭ／ＯＤ６が備える図示しないＴＥＥ５側の各ポートには、Ｃバンド及びＬバンドの波長が１波長ずつ割り当てられる。例えば、光ファイバーを介してＴＥＥ＃１と通信可能に接続されるポートには、Ｃバンドの波長λＣ１及びＬバンドの波長λＬ１が割り当てられる。また、光ファイバーを介してＴＥＥ＃ｎと通信可能に接続されるポートには、Ｃバンドの波長λＣｎ及びＬバンドの波長λＬｎが割り当てられる。
【００１７】
ＴＥＥ５は、Tunable-Laser Diode（Ｔ−ＬＤ；波長可変光源）５１，受信器（Ｒｘ）５２及びＣ／Ｌカプラ５３を備える。
Ｃ／Ｌカプラ５３は、Ｌバンドの下り信号光とＣバンドの上り信号光とを分離又は多重化する。
Ｒｘ５２は、ＨＥＥ４から送信されたデータ４１１に対して受信処理を行なう。
【００１８】
Ｔ−ＬＤ５１は、接続されたＯＭ／ＯＤ６のポートに対応する波長の光信号を出力する。そのため、ＴＥＥ５の初期接続の際等に、ＨＥＥ４はＯＭ／ＯＤ６を介してＴＥＥ５に波長制御信号４１２を送信し、Ｔ−ＬＤ５１は送信された波長制御信号４１２に基づいて出力する信号光の波長を制御する。つまり、ＨＥＥ４は、各ＴＥＥ５のＴ−ＬＤ５１の波長設定を集中制御する。
【００１９】
波長制御信号４１２には、例えば、信号光にAmplitude Modulation（ＡＭ）トーン等を重畳させる方式の信号や、信号光のフレームにオーバヘッド部として組み込む方式の信号を適用することができる。
しかしながら、図８に示す通信システムにおいては、ＨＥＥ４がＴＥＥ５からの信号光を受信することができない場合には、センタ側のＨＥＥ４は、信号光を受信できない原因を特定することができない。例えば、ＨＥＥ４は、ＴＥＥ５のＴ−ＬＤ５１の故障によって光が出力されないのか、波長設定に不備が発生したのかを特定することができない。そのため、ＴＥＥ５のＴ−ＬＤ５１が故障しておらず、Ｔ−ＬＤ５１の設定不備により生じる波長ずれによってＨＥＥ４がＴＥＥ５からの信号光を受信できない場合には、ＴＥＥ５を交換しなければならない。このような場合には、ＨＥＥ４がＴＥＥ５への波長設定の指示を行なうことにより、ＨＥＥ４は信号光を受信できるようになる可能性があり、不用意なＴＥＥ５の交換は、通信システム４００の運用コストを増加させるおそれがある。
【００２０】
〔Ｂ〕実施形態の一例
〔Ｂ−１〕システム構成
図１は、実施形態の一例として通信システムの機能構成を模式的に示す図である。
図１に示す通信システム１００は、例えば光メトロアクセス向けのＤＷＤＭシステムであり、ＨＥＥ１，ｎ（ｎは自然数）個のＴＥＥ（ＴＥＥ＃１〜＃ｎ）２及びＯＭ／ＯＤ３を備える。通信システム１００は、ＴＥＥ２からＨＥＥ１へ向かう上り通信がＣバンドを利用し、ＨＥＥ１からＴＥＥ２へ向かう下り通信がＬバンドを利用する。１つのＨＥＥ１は、ＯＭ／ＯＤ３を介して通信可能に接続されるｎ個のＴＥＥ（ＴＥＥ＃１〜＃ｎ）２を収容する。
【００２１】
以下、複数のＴＥＥのうち１つを特定する必要があるときには「ＴＥＥ＃１」や「ＴＥＥ＃ｋ」，「ＴＥＥ＃ｎ」等と表記するが、任意のＴＥＥを指すときには「ＴＥＥ２」と表記する。ここで、ｋは、１≦ｋ≦ｎを満たす自然数である。
ＯＭ／ＯＤ３は、光ファイバーを介してＨＥＥ１及びＴＥＥ２と通信可能に接続されており、サイクリックＡＷＧ３１を備える。ＯＭ／ＯＤ３が備える図示しないＴＥＥ２側の各ポートには、Ｃバンド及びＬバンドの波長が１波長ずつ割り当てられる。例えば、後述する図２及び図３に示すように、光ファイバーを介してＴＥＥ＃１と通信可能に接続されるポートには、Ｃバンドの波長λＣ１及びＬバンドの波長λＬ１が割り当てられる。また、光ファイバーを介してＴＥＥ＃ｋと通信可能に接続されるポートには、Ｃバンドの波長λＣｋ及びＬバンドの波長λＬｋが割り当てられる。更に、光ファイバーを介してＴＥＥ＃ｎと通信可能に接続されるポートには、Ｃバンドの波長λＣｎ及びＬバンドの波長λＬｎが割り当てられる。
【００２２】
ＴＥＥ２は、他の通信装置の一例であり、Ｔ−ＬＤ２１，受信器（Ｒｘ）２２，Ｃ／Ｌカプラ２３及び波長設定制御部２４を備える。
Ｃ／Ｌカプラ２３は、Ｌバンドの下り信号光とＣバンドの上り信号光とを分離又は多重化する。
Ｒｘ２２は、受信したデータ１１１に対して受信処理を行なう。具体的には、Ｒｘ２２は、ＨＥＥ１から送信され、Ｃ／Ｌカプラ２３で分離されたデータ１１１に対して、受信処理を行なう。データ１１１は、ＨＥＥ１からＴＥＥ２へ送信されるユーザデータである。また、Ｒｘ２２は、ＨＥＥ１からＯＭ／ＯＤ３を介して送信された波長制御信号（制御信号）１１２に関する情報を波長設定制御部２４に出力する。波長制御信号１１２は、Ｔ−ＬＤ２１によって出力される信号光の波長ずれに伴い、後述するＨＥＥ１のＴＥＥ波長設定制御部１７が波長ずれの補正のために設定する制御信号である。波長制御信号１１２には、例えば、信号光にＡＭトーン等を重畳させる方式の信号や、信号光のフレームにオーバヘッド部として組み込む方式の信号を適用することができる。
【００２３】
波長設定制御部２４は、Ｔ−ＬＤ２１が出力する光信号の波長を制御する。具体的には、波長設定制御部２４は、Ｒｘ２２から入力された波長制御信号１１２に基づき、Ｔ−ＬＤ２１が出力する光信号の波長をＴＥＥ２が接続されたＯＭ／ＯＤ３のポートに対応する波長（後述する図２及び図３参照）に制御する。
Ｔ−ＬＤ２１は、波長可変光源の一例であり、波長設定制御部２４によって制御された波長の光信号を出力する。Ｔ−ＬＤ２１によって出力される信号光は、例えばレーザー光である。
【００２４】
ＨＥＥ１は、通信装置の一例であり、送信器アレイ（Ｔｘアレイ）１１，受信器アレイ（Ｒｘアレイ）１２，ＡＷＧ１３，１４，Ｃ／Ｌカプラ１５，光パワーモニタ情報収集部１６及びＴＥＥ波長設定制御部１７を備える。
Ｃ／Ｌカプラ１５は、Ｌバンドの下り信号光とＣバンドの上り信号光とを分離又は多重化する。
【００２５】
ＡＷＧ１４は、光フィルタの一例であり、Ｃバンドの上りＤＷＤＭ信号をｎ個の波長の信号光に分割し、分割した複数の波長の信号光をＲｘアレイ１２に入力する。
Ｒｘアレイ１２は、受信部の一例であり、ｎ個のＣバンドの波長グリッドλＣ１〜λＣｎ（後述する図２及び図３を参照）にそれぞれ対応するｎ個の受信器（ＨＥＥ  Ｒｘ＃１〜＃ｎ）１２０を備える。ここで、波長グリッドとは、ある波長についてマージンを持たせた帯域である。例えば、波長グリッドλＣｋは、波長λＣｋの値の前後にマージンを持たせた帯域を示す。言い換えれば、波長グリッドとは、所定の波長を含む連続する帯域の一部の帯域である。
【００２６】
以下、複数のＨＥＥ  Ｒｘのうち１つを特定する必要があるときには「ＨＥＥ  Ｒｘ＃１」や「ＨＥＥ  Ｒｘ＃ｋ」，「ＨＥＥ  Ｒｘ＃ｎ」等と表記するが、任意のＨＥＥ  Ｒｘを指すときには「ＨＥＥ  Ｒｘ１２０」と表記する。
ＨＥＥ  Ｒｘ１２０は、受信部の一例であり、データ受信部１２１，受信光パワーモニタ部１２２，Photo Diode（ＰＤ）１２３，リニアアンプ１２４及びログアンプ１２５を備える。
【００２７】
ＰＤ１２３は、変換器の一例であり、入力された信号光を光電変換（ＯＥ変換）する。具体的には、ＰＤ１２３は、ＡＷＧ１４から入力された信号光を光電変換し、光電変換により生成した信号をリニアアンプ１２４及びログアンプ１２５に出力する。
リニアアンプ１２４は、ＰＤ１２３から入力された信号を増幅し、増幅した信号をデータ受信部に出力する。
【００２８】
データ受信部１２１は、受信処理部の一例であり、ＴＥＥ２から受信された信号に対して受信処理を行なう。具体的には、データ受信部１２１は、リニアアンプ１２４により増幅された信号に対して受信処理を行なう。
ログアンプ１２５は、ＰＤ１２３から入力された信号を増幅し、増幅した信号を受信光パワーモニタ部１２２に出力する。ログアンプ１２５は、リニアアンプ１２４より応答速度が遅いためデータ列を高速に読み取ることはできないが、低レベルな信号光のパワーを検出することができる。
【００２９】
受信光パワーモニタ部１２２は、パワー検出器の一例であり、ＴＥＥ２から受信された信号光のパワーを検出（又は監視）する。具体的には、受信光パワーモニタ部１２２は、ログアンプ１２５により増幅された信号に基づいて、ＡＷＧ１４により出力された信号光のパワーを検出する。そして、受信光パワーモニタ部１２２は、検出したパワーに関する情報（パワーモニタ情報）を光パワーモニタ情報収集部１６に出力する。
【００３０】
光パワーモニタ情報収集部１６は、Ｒｘアレイ１２から出力された複数のパワーモニタ情報を収集する。具体的には、光パワーモニタ情報収集部１６は、ｎ個のＨＥＥ  Ｒｘ１２０のうち受信した信号光のパワーを検出したＨＥＥ  Ｒｘ１２０を特定し、特定したＨＥＥ  Ｒｘ１２０によって検出され出力されたパワーモニタ情報を収集する。
ＴＥＥ波長設定制御部１７は、送信部の一例であり、波長制御信号１１２を生成する。具体的には、ＴＥＥ波長設定制御部１７は、光パワーモニタ情報収集部１６によって収集されたパワーモニタ情報に基づき、波長制御信号１１２を生成する。なお、ＴＥＥ波長設定制御部１７が備える機能の詳細は、図２及び図３を用いて後述する。
【００３１】
Ｔｘアレイ１１は、ｎ個のＬバンドの波長グリッドλＬ１〜λＬｎ（後述する図２及び図３を参照）にそれぞれ対応するｎ個の送信器（ＨＥＥ  Ｔｘ＃１〜＃ｎ）１１０を備える。
以下、複数のＨＥＥ  Ｔｘのうち１つを特定する必要があるときには「ＨＥＥ  Ｔｘ＃１」や「ＨＥＥ  Ｔｘ＃ｋ」，「ＨＥＥ  Ｔｘ＃ｎ」等と表記するが、任意のＨＥＥ  Ｔｘを指すときには「ＨＥＥ  Ｔｘ１１０」と表記する。
【００３２】
ＨＥＥ  Ｔｘ１１０は、送信部の一例であり、ＬＤ１１３を備える。
ＬＤ１１３は、入力されるデータ１１１又は波長制御信号１１２に基づき、変調された光をＡＷＧ１３に出力する。
ＡＷＧ１３は、Ｔｘアレイ１１から出力されたｎ個の信号光を多重化し、Ｃ／Ｌカプラ１５に出力する。
【００３３】
図２及び図３は、実施形態の一例としての通信システムにおける波長ずれの例を説明する図である。
具体的には、図２にはＨＥＥ  Ｒｘ＃ｋにおける信号光の波長監視処理の例を示し、図３にはＨＥＥ  Ｒｘ＃ｋ＋２における信号光の波長監視処理の例を示す。
なお、図２及び図３においては、簡単のため、ＨＥＥ１が備える光パワーモニタ情報収集部１６及びＴＥＥ波長設定制御部１７の図示を省略している。
【００３４】
図２に示す例において、ＴＥＥ＃ｋのＴ−ＬＤ２１は、ＴＥＥ＃ｋが接続されるＯＭ／ＯＤ３のポートに対応する波長λＣｋからずれた波長λＣｋ＋2の信号光を出力する（図２の符号Ａ１参照）。
以下、ＴＥＥ２が接続されるＯＭ／ＯＤ３のポートに対応する波長（図２及び図３のＴＥＥ＃ｋにおいては波長λＣｋ）を「所望の波長」等という場合がある。
【００３５】
サイクリックＡＷＧ３１は、ＴＥＥ＃ｋが接続されたポートから入力された信号光のうち、波長グリッドλＣｋの信号光を透過させる（図２の符号Ａ２参照）。
サイクリックＡＷＧ３１を透過した信号光は、波長λＣｋの信号光と波長λＣｋ＋2の信号光とを含む（図２の符号Ａ３参照）。波長λＣｋの信号光は、Ｔ−ＬＤ２１によって変調された信号の帯域以外の帯域である裾野成分の信号光であり、サイクリックＡＷＧ３１の透過帯域の信号光である。また、波長λＣｋ＋2の信号光は、Ｔ−ＬＤ２１の設定不備により波長がずれて変調された信号の帯域の信号光であり、サイクリックＡＷＧ３１からの漏れ光である。なお、符号Ａ３で示す信号光の波形グラフのスケールは、符号Ａ１で示した信号光の波形グラフのスケールよりも大きい。よって、符号Ａ３で示す波形グラフにおいては、符号Ａ１で示した波形グラフにおいて表わされていない波長グリッドλＣｋの成分が表わされている。
【００３６】
ＡＷＧ１４は、ＴＥＥ２から出力された信号光のうち、波長λＣｋの信号光を対応するＨＥＥ  Ｒｘ＃ｋに入力する（図２の符号Ａ２参照）。
ＨＥＥ  Ｒｘ＃ｋは、Ｔ−ＬＤ２１によって出力された信号光の波長ずれにより、波長グリッドλＣｋにおいて閾値より小さいパワーを検出する（図２の符号Ａ４参照）。閾値は、例えば、Ｔ−ＬＤ２１によって出力される信号光のパワーに基づき定められる。ＨＥＥ  Ｒｘ＃ｋは、検出したパワーに関する情報をパワーモニタ情報として、光パワーモニタ情報収集部１６に出力する。なお、符号Ａ４で示す信号光の波形グラフのスケールは、符号Ａ３で示した信号光の波形グラフのスケールと同一である。
【００３７】
また、図３に示すように、ＡＷＧ１４は、ＴＥＥ２から出力された信号光のうち、波長λＣｋ＋２の信号光を対応するＨＥＥ  Ｒｘ＃ｋ＋２に入力する（図３の符号Ｂ１参照）。
ＨＥＥ  Ｒｘ＃ｋ＋２は、Ｔ−ＬＤ２１によって出力された信号光の波長ずれにより、波長グリッドλＣｋ＋２において閾値より小さいパワーを検出する（図３の符号Ｂ２参照）。ＨＥＥ  Ｒｘ＃ｋ＋２は、検出したパワーに関する情報をパワーモニタ情報として、光パワーモニタ情報収集部１６に出力する。
【００３８】
光パワーモニタ情報収集部１６（図２及び図３には不図示）は、ＨＥＥ  Ｒｘ＃ｋ，＃ｋ＋２からパワーモニタ情報を収集する。
ＴＥＥ波長設定制御部１７（図２及び図３には不図示）は、光パワーモニタ情報収集部１６によって収集されたパワーモニタ情報に基づき、波長制御信号１１２を生成する。
図２及び図３に示す例においては、Ｒｘアレイ１２によって、閾値より小さいパワーの所望の波長λＣｋの信号及び閾値より小さいパワーの所望の波長からずれた波長のλＣｋ＋２の信号が検出されている。そこで、ＴＥＥ波長設定制御部１７は、Ｔ−ＬＤ２１が所望の波長からずれた波長λＣｋ＋2の信号光を出力していると判定する。そして、ＴＥＥ波長設定制御部１７は、Ｔ−ＬＤ２１によって出力される信号光の波長を波長λＣｋ＋2から所望の波長λＣｋにずらす制御を波長設定制御部２４に行なわせる波長制御信号１１２を生成する。
【００３９】
言い換えれば、ＴＥＥ波長設定制御部１７は、Ｔ−ＬＤ２１が信号光を出力しているが、ＨＥＥ１が受信した信号光の波長が所望の波長のグリッド外にずれている場合に、各ＨＥＥ  Ｒｘ１２０が検知した信号光のパワーに基づき、波長のずれ量を検知する。ＨＥＥ  Ｒｘ１２０毎に所定の波長グリッドが割り当てられているため、ＴＥＥ波長設定制御部１７は、各ＨＥＥ  Ｒｘ１２０からのパワーモニタ情報に基づき、所望の波長とＨＥＥ１が受信した信号光の波長との差を検出する。
【００４０】
また、ＴＥＥ波長設定制御部１７は、生成した波長制御信号１１２を所望の波長λＣｋに対応するＨＥＥ  Ｔｘ１１０に入力する。
なお、図３を用いて説明したＨＥＥ  Ｒｘ＃ｋ＋２における信号光の波長監視処理は省略されても良い。つまり、ＴＥＥ波長設定制御部１７は、図２を用いて説明したＨＥＥ  Ｒｘ＃ｋにおける信号光の波長監視処理によって取得されるパワーモニタ情報のみを用いても、波長調整処理を行なうことができる。
【００４１】
〔Ｂ−２〕動作
上述の如く構成された実施形態の一例としての通信システムにおける波長監視処理を、図４に示すフローチャート（ステップＳ１〜Ｓ８）に従って説明する。
ＴＥＥ２の波長設定制御部１７は、Ｔ−ＬＤ２１が出力する信号光の波長をＴＥＥ２が接続されるＯＭ／ＯＤ３のポートに対応する波長に制御する（ステップＳ１）。
【００４２】
ＨＥＥ  Ｒｘ＃ｋのデータ受信部１２１は、ＴＥＥ２から送信された信号光を正常に受信したかを判定する（ステップＳ２）。データ受信部１２１による受信処理の対象の信号のパワーが閾値以上であることは、信号光を正常に受信することの一例である。
信号光を正常に受信した場合には（ステップＳ２のＹｅｓルート参照）、ＴＥＥ２は、Ｔ−ＬＤ２１が出力する信号光の波長の制御処理を完了し（ステップＳ３）、処理は終了する。
【００４３】
一方、信号光を正常に受信していない場合には（ステップＳ２のＮｏルート参照）、ＨＥＥ  Ｒｘ＃ｋの受信光パワーモニタ部１２２は、ＴＥＥ２から送信された信号光のパワーが閾値以上であるかを判定する（ステップＳ４）。
信号光のパワーが閾値未満である場合には（ステップＳ４のＮｏルート参照）、ＨＥＥ  Ｒｘ＃ｋの受信光パワーモニタ部１２２は、ＴＥＥ２のＴ−ＬＤ２１により信号光が出力されていない（Ｔ−ＬＤ２１が故障している）と判断する（ステップＳ５）。そして、処理は終了する。
【００４４】
一方、信号光のパワーが閾値以上である場合には（ステップＳ４のＹｅｓルート参照）、ＨＥＥ１のＴＥＥ波長設定制御部１７は、全てのＨＥＥ  Ｒｘ１２０において検出された信号光のパワーの中で、ＨＥＥ  Ｒｘ＃ｋにおいて検出された信号光のパワーが最大であるかを判定する（ステップＳ６）。
全てのＨＥＥ  Ｒｘ１２０において検出された信号光のパワーの中で、ＨＥＥ  Ｒｘ＃ｋにおいて検出された信号光のパワーが最大でない場合には（ステップＳ６のＮｏルート参照）、ＴＥＥ波長設定制御部１７は、最大のパワーを検出したグリッドに波長がずれていると判断する。また、ＴＥＥ波長設定制御部１７は、波長制御信号１１２を制御することにより、ＴＥＥ２のＴ−ＬＤ２１が出力する信号光の波長をずれたグリッド分だけずらす制御を行なう（ステップＳ７）。そして、処理はステップＳ２へ戻る。
【００４５】
一方、全てのＨＥＥ  Ｒｘ１２０において検出された信号光のパワーの中で、ＨＥＥ  Ｒｘ＃ｋにおいて検出された信号光のパワーが最大である場合には（ステップＳ６のＹｅｓルート参照）、ＴＥＥ波長設定制御部１７は、所望波長グリッド内の波長ずれが発生していると判断する。また、ＴＥＥ波長設定制御部１７は、波長制御信号１１２を制御することにより、ＴＥＥ２に対して設定波長の調整を行なうことを要求する（ステップＳ８）。そして、処理は図５の波長調整処理へ移行する。
【００４６】
次に、実施形態の一例としての通信システムにおける波長調整処理を、図５に示すフローチャート（ステップＳ１１〜Ｓ２２）に従って説明する。
ＨＥＥ１のＴＥＥ波長設定制御部１７は、Ｔ−ＬＤ２１が出力する信号光の波長を所定値（例えば、Ｔ−ＬＤ２１の最小波長設定値刻み）だけ長波長側へずらすよう、波長制御信号１１２により、ＴＥＥ２に要求する（ステップＳ１１）。
【００４７】
ＨＥＥ  Ｒｘ＃ｋの受信光パワーモニタ部１２２は、受信した信号光のパワーが増えたかを判定する（ステップＳ１２）。
受信した信号光のパワーが増えた場合には（ステップＳ１２のＹｅｓルート参照）、ＨＥＥ１のＴＥＥ波長設定制御部１７は、Ｔ−ＬＤ２１が出力する信号光の波長を所定値だけ長波長側へずらすよう、波長制御信号１１２によりＴＥＥ２に再び要求する（ステップＳ１３）。
【００４８】
ＨＥＥ  Ｒｘ＃ｋの受信光パワーモニタ部１２２は、受信した信号光のパワーが増えたかを判定する（ステップＳ１４）。
受信した信号光のパワーが増えた場合には（ステップＳ１４のＹｅｓルート参照）、処理はステップＳ１３へ戻り、ステップＳ１３及びＳ１４の処理が繰り返し行なわれる。
一方、受信した信号光のパワーが増えていない場合には（ステップＳ１４のＮｏルート参照）、ＨＥＥ１のＴＥＥ波長設定制御部１７は、Ｔ−ＬＤ２１が出力する信号光の波長を所定値だけ短波長側へ戻すよう、ＴＥＥ２に要求する（ステップＳ１５）。
【００４９】
ＨＥＥ  Ｒｘ＃ｋのデータ受信部１２１は、光信号を受信可能であるかを判定する（ステップＳ１６）。データ受信部１２１が受信処理の対象の信号を復調することは、信号光を正常に受信することの一例である。
光信号を受信可能である場合には（ステップＳ１６のＹｅｓルート参照）、処理は終了する。
【００５０】
一方、光信号を受信可能でない場合には（ステップＳ１６のＮｏルート参照）、ＨＥＥ１は、ＴＥＥ２の出力波長の調整は不可能であると判断し（ステップＳ１７）、処理は終了する。
ステップＳ１２において、受信した信号光のパワーが増えていない場合には（ステップＳ１２のＮｏルート参照）、ＨＥＥ１のＴＥＥ波長設定制御部１７は、Ｔ−ＬＤ２１が出力する信号光の波長を所定値だけ短波長側にずらすよう、ＴＥＥ２に要求する（ステップＳ１８）。
【００５１】
ＨＥＥ１の受信光パワーモニタ部１２２は、受信した信号光のパワーが増えたかを判定する（ステップＳ１９）。
受信した信号光のパワーが増えた場合には（ステップＳ１９のＹｅｓルート参照）、処理はステップＳ１８へ戻り、ステップＳ１８及びＳ１９の処理が繰り返し行なわれる。
一方、受信した信号光のパワーが増えていない場合には（ステップＳ１９のＮｏルート参照）、ＨＥＥ１のＴＥＥ波長設定制御部１７は、Ｔ−ＬＤ２１が出力する信号光の波長を所定値だけ長波長側へずらすよう、ＴＥＥ２に要求する（ステップＳ２０）。
【００５２】
ＨＥＥ  Ｒｘ＃ｋのデータ受信部１２１は、光信号を受信可能であるかを判定する（ステップＳ２１）。データ受信部１２１が受信処理の対象の信号を復調することは、信号光を正常に受信することの一例である。
光信号を受信可能である場合には（ステップＳ２１のＹｅｓルート参照）、処理は終了する。
【００５３】
一方、光信号を受信可能でない場合には（ステップＳ２１のＮｏルート参照）、ＨＥＥ１は、ＴＥＥ２の出力波長の調整は不可能であると判断し（ステップＳ２２）、処理は終了する。
【００５４】
〔Ｂ−３〕効果
受信光パワーモニタ部１２２は、ログアンプ１２５により増幅された信号に基づいてＡＷＧ１４により出力された信号光のパワーを検出する。そして、ＴＥＥ波長設定制御部１７は、データ受信部１２１による受信処理により信号光が正常に受信されなかった場合、受信光パワーモニタ部１２２によって検出されたパワーに基づき、ＴＥＥ２がＴ−ＬＤ２１の出力する信号光の波長を制御するように波長制御信号１１２を制御する。これにより、ＴＥＥ２において故障が発生しているのか出力した信号光の波長ずれが発生しているのかを特定することができる。その結果、通信システム１００の管理を容易に行なうことができる。
【００５５】
ＴＥＥ波長設定制御部１７は、複数の波長に対してそれぞれ検出された複数のパワーのうち所定の波長以外の波長の信号光のパワーが最大である場合に、所定の波長とパワーが最大である信号光の波長との差に基づき、ＴＥＥ２が出力する信号光の波長を制御するように波長制御信号１１２を設定する。これにより、ＴＥＥ２が出力する信号光の波長ずれが大きい場合においても、波長ずれの調整を容易に行なうことができる。
【００５６】
ＴＥＥ波長設定制御部１７は、複数の波長に対してそれぞれ検出された複数のパワーのうち所定の波長の信号光のパワーが最大である場合に、所定の波長の信号光のパワーが増加するように、ＴＥＥ２が出力する信号光の波長を所定量変化させる設定にした波長制御信号１１２をＴＥＥ２に繰り返し送信する。これにより、ＴＥＥ２が出力する信号光の波長ずれが微小な場合においても、波長ずれの調整を容易に行なうことができる。
【００５７】
受信光パワーモニタ部１２２は、出力された信号光のパワーが第１の閾値以下である場合に、ＴＥＥ２によって信号光が出力されていないと判断する。また、データ受信部１２１は、受信処理の対象の信号の基となる信号光のパワーが第２の閾値以下である場合に、信号光が正常に受信されなかったと判断する。これらにより、ＴＥＥ２の故障を特定することができる。
【００５８】
〔Ｃ〕変形例
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
図６及び図７は、実施形態の変形例として通信システムにおける波長ずれの例を説明する図である。
【００５９】
図６及び図７に示す通信システム１００ａは、図１等に示した通信システム１００が備えるＯＭ／ＯＤ３及びｎ個のＴＥＥ２に代え、ＯＭ／ＯＤ３ａ及びｎ個のＴＥＥ（ＴＥＥ＃１〜＃ｎ）２ａをそれぞれ備える。図６及び図７に示すＨＥＥ１は図１等に示したＨＥＥ１と同様の機能構成を備えるため、その説明は省略される。なお、図６及び図７においては、ＨＥＥ１が備える光パワーモニタ情報収集部１６及びＴＥＥ波長設定制御部１７の図示を簡単のため省略している。
【００６０】
ＯＭ／ＯＤ３ａは、図１等に示したＯＭ／ＯＤ３が備えるサイクリックＡＷＧ３１に代え、カプラ３２を備える。
カプラ３２は、信号光を分離又は多重化する。ただし、カプラ３２は、図１等に示したサイクリックＡＷＧ３１とは異なり、信号光を波長分割する機能を備えない。
ＴＥＥ２ａは、Ｔ−ＬＤ２１，受信器（Ｒｘ）２２，Ｃ／Ｌカプラ２３及び波長可変フィルタ（Tunable Filter）２５を備える。
【００６１】
波長可変フィルタ２５は、図１等に示したサイクリックＡＷＧ３１の下り信号の波長分割機能に代え、ＴＥＥ２ａが受信した波長多重信号である下り信号のうち、ＴＥＥ２ａが接続されるＯＭ／ＯＤ３ａのポートに対応する波長の信号光のみを透過させる機能を有する。例えば、ＴＥＥ＃ｋの波長可変フィルタ２５は、受信した下り信号のうち、波長λＬｋの信号光のみを透過させる。
【００６２】
上り信号についてはＯＭ／ＯＤ３ａにおいて所望の波長以外の波長の信号光も合波されるため、所望の波長グリッドの信号光が別グリッドの波長の信号光にも影響を及ぼす可能性がある。そのため、例えば、Ｔ−ＬＤ２１は、波長監視処理及び波長調整処理中においては、出力する信号光のパワーを低下させ、所望の波長グリッドの信号光が別グリッドの波長の信号光に影響を及ぼさせないようにすると良い。
【００６３】
図６に示す例においては、ＴＥＥ２のＴ−ＬＤ２１の出力する信号光の波長が所望の波長λＣｋのグリッドから波長λＣｋ＋2のグリッドにずれている（図６の符号Ｃ１参照）。
ＯＭ／ＯＤ３ａのカプラ３２は、波長のフィルタリング特性を有しないため、ＴＥＥ２ａから送信された信号光をそのまま透過させる（図６の符号Ｃ２参照）。なお、符号Ｃ２で示す信号光の波形グラフのスケールは、符号Ｃ１で示した信号光の波形グラフのスケールと同一である。
【００６４】
図７に示すように、ＨＥＥ１のＡＷＧ１４は、ＴＥＥ２から出力された信号光のうち、波長λＣｋの信号光を対応するＨＥＥ  Ｒｘ＃ｋに入力し（図７の符号Ｃ３参照）、波長λＣｋ＋２の信号光を対応するＨＥＥ  Ｒｘ＃ｋ＋２に入力する（図７の符号Ｃ４参照）。
ＨＥＥ  Ｒｘ＃ｋは、Ｔ−ＬＤ２１によって出力された信号光の波長ずれにより、波長グリッドλＣｋにおいて閾値より小さいパワーを検出する（図７の符号Ｃ５参照）。また、ＨＥＥ  Ｒｘ＃ｋ＋２は、Ｔ−ＬＤ２１によって出力された信号光の波長ずれにより、波長グリッドλＣｋ＋２において閾値より小さいパワーを検出する（図７の符号Ｃ６参照）。なお、符号Ｃ５及びＣ６で示す信号光の波形グラフのスケールは、符号Ｃ１及びＣ２で示した信号光の波形グラフのスケールよりも大きい。よって、符号Ｃ５で示す波形グラフにおいては、符号Ｃ１及びＣ２で示した波形グラフにおいて表わされていない波長グリッドλＣｋの成分が表わされている。
【００６５】
つまり、本実施形態の変形例における通信システム１００ａにおいても、上述した実施形態の一例における通信システム１００と同様に波長監視処理及び波長調整処理を行なうことができ、上述した実施形態の一例における通信システム１００と同様の効果を奏することができる。
【符号の説明】
【００６６】
１００    通信システム
１        ＨＥＥ
１１      Ｔｘアレイ
１１０    ＨＥＥ  Ｔｘ
１１１    データ
１１２    波長制御信号
１１３    ＬＤ
１２      Ｒｘアレイ
１２０    ＨＥＥ  Ｒｘ
１２１    データ受信部
１２２    受信光パワーモニタ部
１２３    ＰＤ
１２４    リニアアンプ
１２５    ログアンプ
１３      ＡＷＧ
１４      ＡＷＧ
１５      Ｃ／Ｌカプラ
１６      光パワーモニタ情報収集部
１７      ＴＥＥ波長設定制御部
２        ＴＥＥ
２１      Ｔ−ＬＤ
２２      Ｒｘ
２３      Ｃ／Ｌカプラ
２４      波長設定制御部
３        ＯＭ／ＯＤ
３１      サイクリックＡＷＧ
１００ａ  通信システム
２ａ      ＴＥＥ
２５      波長可変フィルタ
３ａ      ＯＭ／ＯＤ
３２      カプラ
４００    通信システム
４        ＨＥＥ
４１      Ｔｘアレイ
４１０    ＨＥＥ  Ｔｘ
４１１    データ
４１２    波長制御信号
４１３    ＬＤ
４２      Ｒｘアレイ
４２０    ＨＥＥ  Ｒｘ
４３      ＡＷＧ
４４      ＡＷＧ
４５      Ｃ／Ｌカプラ
５        ＴＥＥ
５１      Ｔ−ＬＤ
５２      Ｒｘ
５３      Ｃ／Ｌカプラ
６        ＯＭ／ＯＤ
６１      サイクリックＡＷＧ
【図１】
2016195358.tif 000003
【図２】
2016195358.tif 000004
【図３】
2016195358.tif 000005
【図４】
2016195358.tif 000006
【図５】
2016195358.tif 000007
【図６】
2016195358.tif 000008
【図７】
2016195358.tif 000009
【図８】
2016195358.tif 000010